(57)【要約】【課題】気密性を高めやすいバランサー式のダブルハング型窓上げ下げ窓を提供する。【解決手段】枠体の内側に内障子および外障子がスライド可能に取り付けられ、枠体の左右の縦枠それぞれに内障子用のガイド溝および外障子用のガイド溝が形成され、前記内障子および外障子が、対応する負荷分散装置からワイヤによって吊られているバランサー式のダブルハング型窓上げ下げ窓を構成するにあたり、外障子の左右の縦框それぞれの見込み面に、または外障子に対応するガイド溝それぞれの内部に、前記縦枠の内部を通って上枠内に向かう空気の流れを阻害することができる第１気密材を配置する。【選択図】    図６
2005036419.tif 000002
【特許請求の範囲】
【請求項１】
上枠と下枠と左右の縦枠とを有する枠体、前記枠体の内側にスライド可能に取り付けられた内障子および外障子、ならびに、前記内障子および前記外障子に１対ずつ対応して前記上枠内に配置された負荷分散装置を備え、前記左右の縦枠それぞれに形成されたガイド溝に沿って前記内障子および前記外障子を上下動させることで、前記枠体の開口部を閉鎖または開放することができる上げ下げ窓であって、
前記内障子および前記外障子は、対応する負荷分散装置から前記ガイド溝を通って該内障子または該外障子の縦框下部に達するワイヤによって吊られており、
前記外障子の左右の縦框それぞれの見込み面に、または前記外障子に対応するガイド溝それぞれの内部に、前記縦枠の内部を通って前記上枠内に向かう空気の流れを阻害することができる第１気密材を有する上げ下げ窓。
【請求項２】
前記外障子が、上框の左右両端にそれぞれ設けられて見付け方向外側に突出する立て付け調整ピースを有し、
前記外障子に対応するガイド溝それぞれの内部に前記第１気密材が配置され、
前記外障子を閉めたときに、前記立て付け調整ピースと前記第１気密材とが当接する請求項１に記載の上げ下げ窓。
【請求項３】
前記外障子の左右の縦框それぞれに、前記立て付け調整ピースの下方において前記見付け方向外側に突出する第２気密材を有し、前記外障子を閉めたときに、平面視上、前記第１気密材と前記第２気密材とが部分的に重なる請求項２に記載の上げ下げ窓。
【発明の詳細な説明】
【０００１】
【発明の属する技術分野】
本発明は上げ下げ窓に係り、特に、内障子および外障子それぞれが負荷分散装置（以下、「バランサー」という。）によって吊られている上げ下げ窓に関する。
【０００２】
【従来の技術】
近年、建具には高い気密性、水密性、遮音性、断熱性等が求められるようになり、これらの要求を満たすために、多くの建具では建物に枠体を取り付け、この枠体に障子を取り付けた構造となっている。このことは、障子を上下動させて開け閉めする上げ下げ窓においても同じである。
【０００３】
多くの上げ下げ窓は内障子と外障子とを備えており、上下動する障子（以下、「可動障子」という。）の開閉の度合いの調節方法に応じて、ラッチ式とバランサー式とに大別することができる。ラッチ式の上げ下げ窓では、可動障子にラッチ棒が設けられていると共に、左右の縦枠それぞれに複数のラッチ穴が予め形成されており、可動障子のラッチ棒を所望のラッチ穴に挿入することで当該可動障子の開閉の度合いを調整する。一方、バランサー式の上げ下げ窓では、枠体内に配置されたバランサーによって可動障子が吊られており、枠体の左右の縦枠には、可動障子を上下方向にスライドさせるためのガイド溝が形成されている。バランサー式の上げ下げ窓では、可動障子の開閉の度合いを任意に調整することが可能である。
【０００４】
上記バランサー式の上げ下げ窓は、可動障子の枚数に応じて、シングルハング型とダブルハング型とに大別することもできる。シングルハング型上げ下げ窓では内障子だけが可動障子となっており、ダブルハング型上げ下げ窓では内障子および外障子の両方が可動障子となっている。
【０００５】
バランサー式のダブルハング型上げ下げ窓の多くでは、内障子および外障子に１対ずつ対応して、枠体の上枠内にバランサーが配置されている。内障子および外障子は、対応するバランサーからガイド溝を通って当該内障子または当該外障子の縦框下部に達するワイヤによって吊られている。
【０００６】
このような構造を有するバランサー式のダブルハング型上げ下げ窓では、外障子用のガイド溝から上枠内を通って外気が室内に侵入しやすい。そのため、外障子用のガイド溝および内障子用のガイド溝それぞれの上端（上枠側の端）に気密材を装着して、気密性や断熱性の向上が図られている。
【０００７】
【発明が解決しようとする課題】
ダブルハング型上げ下げ窓は、枠体の左右の縦枠それぞれに内障子用のガイド溝と外障子用のガイド溝とを有しているので、各ガイド溝の上端付近は比較的複雑な形状をしている。このため、外障子用のガイド溝および内障子用のガイド溝それぞれの上端（上枠側の端）に気密材を装着することで気密に保つことは困難である。
【０００８】
また、上げ下げ窓は、建物の建設現場で組み立てられるため、外障子用のガイド溝および内障子用のガイド溝それぞれの上端と上記の気密材との間に生じた隙間を事前に密閉材によって封止しておくことはできない。
【０００９】
そのため、ダブルハング型上げ下げ窓は、外障子用のガイド溝から上枠内に向かう外気の流れを遮断しにくく、シングルハング型上げ下げ窓に比べて気密性を高めづらい。特に、バランサーを上枠内に配置するタイプのダブルハング型上げ下げ窓では、バランサーを覆い隠すために上枠にカバーが設けられるので、気密性を高めづらい。
【００１０】
そこで、本発明は、気密性を高めやすいバランサー式のダブルハング型窓上げ下げ窓を提供することを課題とする。
【００１１】
【課題を解決するための手段】
以下、本発明について説明する。以下の説明では、本発明の理解を容易にするために添付図面中の参照符号を括弧書きで付記するが、それによって本発明が図示の形態に限定されるものではない。
【００１２】
本発明の一態様では、上枠（１）と下枠（１０）と左右の縦枠（２０、３０）とを有する枠体（５０）、前記枠体の内側にスライド可能に取り付けられた内障子（６０）および外障子（８０）、ならびに、前記内障子および前記外障子に１対ずつ対応して前記上枠内に配置された負荷分散装置（４０ａ、４０ｂ）を備え、前記左右の縦枠それぞれに形成されたガイド溝（２２、２４）に沿って前記内障子および前記外障子を上下動させることで、前記枠体の開口部（４８）を閉鎖または開放することができる上げ下げ窓（１００、２００）であって、前記内障子および前記外障子は、対応する負荷分散装置から前記ガイド溝を通って該内障子または該外障子の縦框（８３、８４）下部に達するワイヤ（４２ａ、４２ｂ）によって吊られており、前記外障子の左右の縦框それぞれの見込み面に、または前記外障子に対応するガイド溝それぞれの内部に、前記縦枠の内部を通って前記上枠内に向かう空気の流れを阻害することができる第１気密材（２６、１２６）を有する上げ下げ窓を提供して、上記の課題を解決する。
【００１３】
縦枠の内部を通って上枠内に向かう空気の流れを上記の第１気密材によって阻害することにより、気密性を高めることが容易になる。気密性をできるだけ容易に高めるうえからは、見付け方向外側に突出する立て付け調整ピース（８７）を外障子における上框（８１）の左右両端にそれぞれ設けると共に、外障子に対応するガイド溝それぞれの内部に上記の第１気密材を配置し、外障子を閉めたときに上記の立て付け調整ピースと第１気密材とが当接するように構成することが好ましい。
【００１４】
また、外障子の左右の縦框に、上記の立て付け調整ピースの下方において見付け方向外側に突出する第２気密材（８８）を設け、外障子を閉めたときに、上記の第１気密材と第２気密材とが、平面視上、部分的に重なるように構成することが好ましい。
【００１５】
【発明の実施の形態】
以下、本発明に係る実施形態について、図面を参照しつつ詳述する。
【００１６】
＜第１実施形態＞
図１（Ａ）は、本発明に係る第１実施形態の上げ下げ窓１００が開放されているときに当該上げ下げ窓１００を室内側から正面視したときの概略図であり、図１（Ｂ）は、図１（Ａ）に示した上げ下げ窓１００が閉鎖されているときに当該上げ下げ窓１００を室内側から正面視したときの概略図である。
【００１７】
図示の上げ下げ窓１００はダブルハング型の上げ下げ窓であり、建物（図示せず。）の所定箇所に取り付けられる枠体５０と、枠体５０の開口部４８を閉鎖または開放するために当該枠体５０に取り付けられた２枚の可動障子６０、８０とを備えている。可動障子６０が内障子（以下、「内障子６０」という。）であり、可動障子８０が外障子（以下、「外障子８０」という。）である。
【００１８】
枠体５０は、上枠１、下枠１０、右縦枠２０、および左縦枠３０によって構成されており、上枠１および下枠１０それぞれの長手方向端面は、右縦枠２０および左縦枠３０それぞれの長手方向端部に形成された平坦面に当接している。
【００１９】
上枠１内には、内障子６０および外障子８０それぞれに１対ずつ対応して、バランサーが設けられている。互いに対をなす２個のバランサーは、上枠１内の見付け方向両端部に分かれて配置されている。また、右縦枠２０および左縦枠３０には、それぞれ、内障子６０用のガイド溝および外障子８０用のガイド溝が形成されている。図１には、便宜上、外障子８０に対応する１対のバランサー４０ａ、４０ｂのみを示している。
【００２０】
内障子６０は、上框６１と、下框６２と、右縦框６３と、左縦框６４と、これらの框に固定されたガラスパネル６５とを有しており、下框６２には引き手６２ａが設けられている。また、右縦框６３の下端部には右縦枠２０に形成されているガイド溝に挿入されるガイド棒６０ａが設けられており、左縦框６４の下端部には、左縦枠３０に形成されているガイド溝に挿入されるガイド棒６０ｂが設けられている。
【００２１】
ガイド棒６０ａには、内障子６０に対応する１対のバランサーの一方に連なったワイヤの一端が係止されており、ガイド棒６０ｂには、内障子６０に対応する１対のバランサーの他方に連なったワイヤの一端が係止されている。内障子６０は、対応する１対のバランサーによって吊られた状態にある。
【００２２】
同様に、外障子８０は、上框８１、下框８２、右縦框８３、左縦框８４、および、これらの框に固定されたガラスパネル８５を有しており、上框８１には掘り込み引き手８１ａが形成されている。また、右縦框８３の下端部には右縦枠２０に形成されているガイド溝に挿入されるガイド棒８０ａが設けられており、左縦框８４の下端部には、左縦枠３０に形成されているガイド溝に挿入されるガイド棒８０ｂが設けられている。
【００２３】
ガイド棒８０ａには、外障子８０に対応する１対のバランサー４０ａ、４０ｂの一方４０ａに連なったワイヤ４２ａの一端が係止されており、ガイド棒８０ｂには、外障子８０に対応する１対のバランサー４０ａ、４０ｂの他方４０ｂに連なったワイヤ４２ｂの一端が係止されている。外障子８０は、対応する１対のバランサー４０ａ、４０ｂによって吊られた状態にある。図１（Ａ）および図１（Ｂ）においては、便宜上、各ワイヤ４２ａ、４２ｂを二点鎖線で表している。
【００２４】
枠体５０の開口部４８（図１（Ａ）参照）を閉鎖または開放する（以下、「障子を閉める」または「障子を開ける」という。）にあたっては、内障子６０または外障子８０が上下方向へスライドされる。このとき、内障子６０および外障子８０のいずれもがバランサーによって吊られているので、障子を閉める際の負荷および障子を開ける際の負荷が軽減される。なお、内障子６０と外障子８０との召合わせ部には、戸締まりのためのクレセント９０が取り付けられている。
【００２５】
上述した構造を有する上げ下げ窓１００は、右縦枠２０および左縦枠３０それぞれの内部に特定の第１気密材が配置され、外障子８０の右縦框に特定の第２気密材が設けられている点に最大の特徴を有している。以下、右縦枠２０および右縦框８３を例にとり、図３〜図６を参照しつつその構造を詳述する。
【００２６】
図２は、図１（Ａ）に示した開口部４８からみた右縦枠２０上部の概略図である。図示のように、右縦枠２０には、内障子６０用のガイド溝２２および外障子８０用のガイド溝２４が形成されている。
【００２７】
ガイド溝２２における室内側の壁面は、見付け方向に突出して形成されたリブ（図２には現れていない。）と、当該リブの上端に形成されて室外側に張り出したトップフランジ２２ａとによって規定されており、ガイド溝２２における室外側の壁面は、見付け方向に突出して形成されたリブ（図２には現れていない。）と、当該リブの上端に形成されて室内側に張り出したトップフランジ２２ｂとによって規定されている。
【００２８】
同様に、ガイド溝２４における室内側の壁面は、見付け方向に突出して形成されたリブ（図２には現れていない。）によって規定されており、ガイド溝２４における室外側の壁面は、見付け方向に突出して形成された他のリブ（図２には現れていない。）によって規定されている。これらのリブのうちの室内側のリブの平面視上の中程には、室外側に張り出したフランジ２５ａが形成されており、室外側のリブの平面視上の中程には、室内側に張り出したフランジ２５ｂが形成されている。
【００２９】
ガイド溝２４の上端（上枠１側の端）近傍には、右縦框２０の内部を通って上枠１（図１（Ａ）および図１（Ｂ）参照）に向かう空気の流れを阻害することができる第１気密材２６（以下、「気密ブロック２６」という。）が配置されている。外障子８０用のワイヤ４２ａを通すために、気密ブロック２６の中央部には穴部２６ｈが形成されており、さらに、この穴部２６ｈにワイヤ４２ａを導くためのスリット部２６ｓが形成されている。
【００３０】
また、ガイド溝２４上の中央部には、外障子８０用のワイヤ４２ａを通すための穴部２９ｈと、当該穴部２９ｈにワイヤ４２ａを導くためのスリット部２９ｓとが形成されている。
【００３１】
上記の気密ブロック２６の構造について、以下、図３および図４を参照しつつ説明する。
【００３２】
図３は、右縦枠２０をその上端部で水平に切断して平面視したときの状態を概略的に示す。図３に示した構成部材のうち、既に図２に示したものには図２で用いた参照符号と同じ参照符号を付してその説明を省略する。
【００３３】
図示のように、右縦枠２０は、室内側の見付け面を形成する第１縦枠２０Ａと、ガイド溝２２の一部の壁面を形成する第２縦枠２０Ｂと、室外側の見付け面を形成する第３縦枠２０Ｃと、ガイド溝２４の室内側において見付け面を形成する第４縦枠２０Ｄと有している。
【００３４】
第１縦枠２０Ａと第２縦枠２０Ｂとによってガイド溝２２が形成されており、第３縦枠２０Ｃと第４縦枠２０Ｄとによってガイド溝２４が形成されている。図中の参照符号２１ａ、２１ｂは、それぞれ、ガイド溝２２を部分的に規定しているリブを示し、参照符号２３ａ、２３ｂは、それぞれ、ガイド溝２４を部分的に規定しているリブを示している。ガイド溝２４は、フランジ２５ａ、２５ｂによって、外障子８０のガイド棒８０ａ、８０ｂ（図１（Ａ）および図１（ｂ）参照）が挿入される内側溝２４ａと、外障子８０の右縦框８３が部分的に挿入される外側溝２４ｂとに区分されている。
【００３５】
本実施形態での特長の１つである気密ブロック２６は、ガイド溝２４の内側溝２４ａを略閉塞するブロック部２７と、当該ブロック部２７からガイド溝２４の外側溝２４ｂに達するフィン部２８とを有している。なお、図３においては、気密ブロック２６に形成されているスリット部２６ｓを、便宜上、１本の実線で示している。
【００３６】
図４は、上記の気密ブロック２６を概略的に示す。この気密ブロック２６は、例えば合成樹脂によって形成されたブロック部２７に、例えばエラストマーによって形成された３枚のフィン２８ａ、２８ｂ、２８ｃを固定した構造を有している。各フィン２８ａ〜２８ｃは、ブロック部２７の厚さ方向に一定間隔で配置されて、フィン部２８を形成している。
【００３７】
ブロック部２７の平面視上の大きさは、前述した内側溝２４ａを略閉塞することができる大きさである。また、各フィン２８ａ〜２８ｃについての見込み方向の幅は、ガイド溝２４を規定している２つのリブ２３ａ、２３ｂ同士の間隔に略等しい。内側溝２４ａと外側溝２４ｂとを区分しているフランジ２５ａ、２５ｂを避けて各フィン２８ａ〜２８ｃを外側溝２４ｂ内にまで延在させるために、フィン２８ａ〜２８ｃそれぞれの幅方向両端部には、切欠き部２８ｒが形成されている。リブ２３ａ、２３ｂは、各フィン２８ａ〜２８ｃのある範囲を切り落としても良い。
【００３８】
上記フィン２８ａ〜２８ｃの各々は、以下に説明するように、外障子８０を閉めたときに、上框８１での見付け方向端部に設けられて見付け方向外側に突出している立て付け調整ピースと当接する。
【００３９】
図５は、図１（Ａ）および図１（Ｂ）に示した外障子８０における右縦枠２０側の上端部を概略的に示す。図示のように、外障子８０における上框８１の見付け方向端部には、立て付け調整ピース８７が取り付けられている。この立て付け調整ピース８７は、上げ下げ窓１００を組み立てるときに右縦枠２０と外障子８０との間隔を調整して、見付け方向への外障子８０のぶれを防止するためのものである。そのために、当該立て付け調整ピース８７には、見付け方向外側に張り出した凸部８７ａが形成されている。
【００４０】
また、外障子８０における右縦枠８３の見込み面には、本実施形態での特長の他の１つである第２気密材８８が取り付けられている。この第２気密材８８は、上記の凸部８７ａの下面に接するようにして右縦枠８３の見込み面に取り付けられて、見付け方向外側に突出している。第２気密材８８を安定に固定するために、右縦枠８３の見込み面には、第２気密材８８の下面に接するようにして平板状の固定部材８９が取り付けられている。
【００４１】
図６は、外障子８０を閉めたときの当該外障子８０、上枠１、および右縦枠２０の相対的な位置関係を概略的に示す。ただし、便宜上、上枠１を破線で示し、ワイヤ４２ａを二点鎖線で示している。バランサー４０ａは上枠１内に配置されているので、破線で示している。また、気密ブロック２６を他から区別しやすくするために、当該気密ブロック２６にスマッジングを付してある。
【００４２】
同図に示すように、外障子８０を閉めたときには、気密ブロック２６における各フィン２８ａ〜２７ｃそれぞれの先端部（外障子８０側の端部）が、立て付け調整ピース８７における凸部８７ａよりも上方の見込み面に当接する。また、最も下方に位置するフィン２８ｃの下面と、立て付け調整ピース８７における凸部８７ａの上面とが当接する。（上記以外の通常の開閉時には上記当接しないため開閉に影響がない。）
【００４３】
このとき、第２気密材８８における右縦枠２０側の端部は、外側溝２４ｂの奥にまで達する。したがって、気密ブロック２６における各フィン２８ａ〜２８ｃ（フィン部２８）と第２気密材８８とは、平面視上、部分的に重なる。換言すれば、外側溝２４ｂは、各フィン２８ａ〜２８ｃ（フィン部２８）と第２気密材８８とによって、平面視上、略閉塞される。さらに、立て付け調整ピース８７が調整により、右縦框８３から図の右方向に離隔するように移動された場合、新たに立て付け調製ピース８７と右縦框８３との間に生じた隙間から漏気して気密度を下げないように、第２気密材８８の水平方向（図の左右方向）長さが設定されている。ガイド溝２４における内側溝２４ａは、図４を参照して既に説明したように、気密ブロック２６のブロック部２７によって略閉塞されている。
【００４４】
したがって、ガイド溝２４を通って上枠１へ向かう外気（空気）の流れは、内側溝２４ａ内においてはブロック部２７によって阻害され、外側溝２４ｂ内においては各フィン２８ａ〜２８ｃと第２気密材８８とによって阻害される。
【００４５】
なお、図示してはいないが、本実施形態の上げ下げ窓１００では、枠体５０における左縦枠３０内にも、上述した気密ブロック２６と同様の機能および形状を有する気密ブロックが配置されており、かつ、外障子８０の上框８１における左縦枠３０側の見付け方向端部には、上述した立て付け調整ピース８７と同様の機能および形状を有する立て付け調整ピースが取り付けられている。さらに、外障子８０の左縦框８４における左縦枠３０側の上端部には、上述した第２気密材８８と同様の機能および形状を有する第２気密材が取り付けられている。
【００４６】
このように、本実施形態の上げ下げ窓１００では、左右の縦框２０、３０それぞれの内部を通って上枠１内に向かう外気の流れを気密ブロックおよび第２気密材によって阻害することができる。上げ下げ窓１００を組み立てる際の外障子８０の見付け方向位置を従来と同様に立て付け調整ピースによって調整することにより、上述のように気密ブロックと第２気密材とによって高い気密効果を得ることができるので、気密性を高めることが容易である。
【００４７】
＜第２実施形態＞
図７は、本発明に係る第２実施形態の上げ下げ窓２００において外障子を閉めたときの当該外障子、上枠、および右縦枠の相対的な位置関係を概略的に示す。同図に示した構成部材のうち、気密板１２５および気密ブロック１２５をそれぞれ除いた残りの部材については、同じ機能を有する部材が図６に示されているので、図６で用いた参照符号と同じ参照符号を付してその説明を省略する。
【００４８】
なお、図７においても、便宜上、上枠１を破線で示し、ワイヤ４２ａを二点鎖線で示している。バランサー４０ａは上枠１内に配置されているので、破線で示している。また、気密ブロック１２６を他から区別しやすくするために、当該気密ブロック１２６にスマッジングを付してある。
【００４９】
同図に示すように、上げ下げ窓２００では、外障子８０用のガイド溝における内側溝２４ａ内に、気密板１２５が取り付けられている。また、外障子８０における右縦框８３の見込み面に、気密ブロック１２６が取り付けられている。これらの点を除けば、本実施形態の上げ下げ窓２００は第１実施形態の上げ下げ窓１００と同様の構成を有している。
【００５０】
上記の気密ブロック１２６は、右縦框８３と協同して外障子８０用の外側溝２４ｂを略閉塞することができるブロック部１２７と、当該ブロック部１２７に取り付けられて内側溝２４ａ内に達する３枚のフィン１２８ａ、１２８ｂ、１２８ｃとを有している。３枚のフィン１２８ａ〜１２８ｃは、フィン部１２８を構成している。気密ブロック１２６にワイヤ４２ａを通すための穴部は、ブロック部１２７ではなくフィン部１２８に形成されている。したがって、前記の穴部にワイヤ４２ａを導くためのスリット部は、フィン部１２８にのみ形成されている。気密ブロック１２６の他の構成は、前述した気密ブロック２６の構成と略同様である。
【００５１】
上記の気密板１２５は、図示のように、外障子８０を閉めたときに各フィン１２５ａ〜１２６ｃの先端部（右縦框２０側の端部）と当接する位置に設けられている。外障子８０を閉めたときには、当該外障子８０用のガイド溝における内側溝２４ａが、フィン部１２８と気密板１２５とによって略閉塞され、外側溝２４ｂはブロック部１２７と右縦框８３とによって略閉塞される。
【００５２】
図示してはいないが、本実施形態の上げ下げ窓２００では、枠体における左縦枠内にも、上述した気密板１２５と同様の機能および形状を有する気密板が配置されており、かつ、外障子８０の上框８１における左縦枠側の見付け方向端部には、前述した立て付け調整ピース８７と同様の機能および形状を有する立て付け調整ピースが取り付けられている。さらに、外障子８０の左縦框における見込み面には、上述した気密ブロック１２６と同様の機能および形状を有する気密ブロックが取り付けられている。
【００５３】
したがって、本実施形態の上げ下げ窓２００は、前述した第１実施形態の上げ下げ窓１００と同様の技術的効果を奏する。
【００５４】
上述した第１実施形態および第２実施形態から明らかなように、バランサー式のダブルハング型上げ下げ窓では、外障子の左右の縦框それぞれの見込み面に、または、枠体の左右の縦枠に外障子に対応して形成されるガイド溝それぞれの内部に、前記左右の縦框それぞれの内部を通って枠体の上枠内に向かう空気の流れを阻害することができる気密ブロック（第１気密材）を配置することにより、気密性を高めることが容易になる。
【００５５】
気密ブロック、第２気密材、および気密板を除き、バランサー式のダブルハング型上げ下げ窓の構造は、適宜変更可能である。また、気密ブロック、第２気密材、および気密板についても、その構造は適宜変更可能である。例えば、上述した気密ブロック２６、１２６は、それぞれ、エラストマー等を用いてブロック部とフィン部とを一体に成形することも可能である。また、フィン部を構成するフィンの枚数は、１以上の所望数とすることができる。フィン部に代えて、モヘア、フィンシール付きモヘア、ゴムヒレ等を利用することも可能である。なお、本明細書でいう「ワイヤ」は鋼線以外にも、例えばエンジニアリングプラスチックによって形成された繊維等を含む。
【００５６】
第１実施形態で説明した第２気密材や、第２実施形態で説明した気密板は、それぞれ、省略することも可能である。ただし、気密性を高めるうえからは、または、外障子の開閉性を良好に保つうえからは、第２気密材、気密板、または、これらのいずれかと同様の機能を有する気密材を、上述した気密ブロック（第１気密材）と併用することが好ましい。
【００５７】
以上、現時点において最も実践的であり、かつ、好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴う上げ下げ窓もまた、本発明の技術的範囲に包含されるものとして理解されなければならない。
【００５８】
【発明の効果】
以上説明したように、請求項１に記載の発明によれば、上げ下げ窓における外障子の左右の縦框それぞれの見込み面に、または、枠体の左右の縦枠に外障子に対応して形成されるガイド溝それぞれの内部に、前記左右の縦框それぞれの内部を通って枠体の上枠内に向かう空気の流れを阻害することができる気密ブロック（第１気密材）が配置されるので、当該上げ下げ窓の気密性を高めやすい。
【００５９】
請求項２に記載の発明によれば、見付け方向外側に突出する立て付け調整ピースが外障子における上框の左右両端にそれぞれ設けられ、外障子に対応するガイド溝それぞれの内部に気密ブロック（第１気密材）が配置され、外障子を閉めたときに立て付け調整ピースと気密ブロックとが当接するので、ダブルハング型上げ下げ窓の気密性を更に高めることができる。
【００６０】
そして、請求項３に記載の発明によれば、外障子の左右の縦框それぞれに、上記立て付け調整ピースの下方において見付け方向外側に突出する第２気密材が設けられ、外障子を閉めたときに、平面視上、上記第１気密材と前記第２気密材とが部分的に重なるので、ダブルハング型上げ下げ窓の気密性をより一層高めることができる。
【図面の簡単な説明】
【図１】図１（Ａ）は、本発明に係る第１実施形態の上げ下げ窓が開放されているときに当該上げ下げ窓を室内側から正面視したときの概略図であり、図１（Ｂ）は、図１（Ａ）に示した上げ下げ窓が閉鎖されているときに当該上げ下げ窓を室内側から正面視したときの概略図である。
【図２】図１（Ａ）に示した開口部からみた右縦枠上部の概略図である。
【図３】図１（Ａ）および図１（Ｂ）に示した右縦枠をその上端部で水平に切断して平面視したときの概略図である。
【図４】図２および図３に示した気密ブロックを概略的に示す斜視図である。
【図５】図１（Ａ）および図１（Ｂ）に示した外障子における右縦枠側の上端部を概略的に示す斜視図である。
【図６】図１（Ａ）および図１（Ｂ）に示した外障子を閉めたときの当該外障子、上枠、および右縦枠の相対的な位置関係を示す概略図である。
【図７】本発明に係る第２実施形態の上げ下げ窓において外障子を閉めたときの当該外障子、上枠、および右縦枠の相対的な位置関係を示す概略図である。
【符号の説明】
１  上枠
１０  下枠
２０  右縦枠
２２  内障子用のガイド溝
２４  外障子用のガイド溝
２６  気密ブロック（第１気密材）
３０  左縦枠
４０ａ、４０ｂ  負荷分散装置（バランサー）
４２  ワイヤ
４８  開口部
５０  枠体
６０  内障子
６３  内障子の右縦框
６４  内障子の左縦框
８０  外障子
８３  外障子の右縦框
８４  外障子の左縦框
８７  立て付け調整ピース
８８  第２気密材
１００、２００  上げ下げ窓
【図１】
2005036419.tif 000003
【図２】
2005036419.tif 000004
【図３】
2005036419.tif 000005
【図４】
2005036419.tif 000006
【図５】
2005036419.tif 000007
【図６】
2005036419.tif 000008
【図７】
2005036419.tif 000009